【手続補正書】
【提出日】平成16年10月12日(2004.10.12)
【手続補正１】
【補正対象書類名】明細書
【補正対象項目名】発明の名称
【補正方法】変更
【補正の内容】
【発明の名称】ファンド管理システム
【手続補正２】
【補正対象書類名】明細書
【補正対象項目名】特許請求の範囲
【補正方法】変更
【補正の内容】
【特許請求の範囲】
【請求項１】
流通単位に於いて用いる少なくとも一以上の知的所有権を当初権利者から譲渡及び／又は実施権の設定及び／又は信託の設定を受けたファンドを管理するファンド管理システムであって、
前記ファンドが有する知的所有権に関する情報を格納する知的所有権データベースと、
前記ファンドが発行する資産対応証券に関する情報及び／又は前記ファンドに対する投資家に関する情報を格納するファンドデータベースと、
前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、
前記ファンドが発行する資産対応証券の発行条件を受付け、前記資産対応証券の発行を行う資産対応証券発行手段と、
前記発行した資産対応証券に対して投資家が行った投資の情報及び／又は前記投資家に関する情報を金融機関及び／又は前記金融機関システムから受付け前記ファンドデータベースに格納する投資受付手段と、
前記ファンドに為された投資家による投資資金を前記当初権利者に対して支払う旨を前記金融機関及び／又は前記金融機関システムに対して通知する投資資金支払手段と、
前記当初権利者から前記ファンドに対して元利金の引渡が為された旨の通知を前記当初権利者及び／又は前記当初権利者システム及び／又は前記金融機関及び／又は前記金融機関システムのいずれかから受付ける元利金受領手段と、
前記ファンドデータベースに格納している前記投資家に関する情報を抽出し、前記投資家が行っている投資金額に応じて前記当初権利者から受領した元利金の支払いを前記投資家に対して行う旨の通知を前記金融機関及び／又は前記金融機関システムに対して行う元利金支払手段とを
有することを特徴とするファンド管理システム。
【請求項２】
流通単位に於いて用いる少なくとも一以上の知的所有権を複数の当初権利者から譲渡及び／又は実施権の設定及び／又は信託の設定を受けたファンドを管理するファンド管理システムであって、
前記ファンドが有する知的所有権に関する情報を格納する知的所有権データベースと、
前記ファンドが発行する資産対応証券に関する情報及び／又は前記ファンドに対する投資家に関する情報を格納するファンドデータベースと、
前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、
前記ファンドが発行する資産対応証券の発行条件を受付け、前記資産対応証券の発行を行う資産対応証券発行手段と、
前記発行した資産対応証券に対して投資家が行った投資の情報及び／又は前記投資家に関する情報を金融機関及び／又は前記金融機関システムから受付け前記ファンドデータベースに格納する投資受付手段と、
前記ファンドに為された投資家による投資資金を、前記投資資金の受領を希望する当初権利者に対して予め定めた割合に基づいて支払う旨を前記金融機関及び／又は前記金融機関システムに対して通知する投資資金支払手段と、
前記資産対応証券の元利金と前記投資資金を受領していない当初権利者の実施料との合計額の引渡が前記当初権利者が受領した投資資金の割合に応じて前記当初権利者から前記ファンドに対して為された旨の通知を前記当初権利者及び／又は前記当初権利者システム及び／又は前記金融機関及び／又は前記金融機関システムのいずれかから受付ける元利金受領手段と、
前記投資資金を受領していない当初権利者に対して前記実施料の支払を行う旨の通知と、前記ファンドデータベースに格納している前記投資家に関する情報を抽出し、前記投資家が行っている投資金額に応じて前記当初権利者から受領した元利金の支払いを前記投資家に対して行う旨の通知を前記金融機関及び／又は前記金融機関システムに対して行う元利金支払手段とを
有することを特徴とするファンド管理システム。
【請求項３】
流通単位に於いて用いる少なくとも一以上の知的所有権を当初権利者から譲渡及び／又は実施権の設定及び／又は信託の設定を受けたファンドを管理するファンド管理システムであって、
前記ファンドが有する知的所有権に関する情報を格納する知的所有権データベースと、
前記ファンドが発行する資産対応証券に関する情報及び／又は前記ファンドに対する投資家に関する情報を格納するファンドデータベースと、
前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、
前記ファンドが発行する資産対応証券の発行条件を受け付け、前記資産対応証券の発行を行う資産対応証券発行手段と、
前記発行した資産対応証券に対して投資家が行った投資の情報及び／又は前記投資家に関する情報を金融機関及び／又は前記金融機関システムから受け付け前記ファンドデータベースに格納する投資受付手段と、
前記ファンドに為された投資家による投資資金を前記当初権利者以外の投資対象者に対して支払う旨を前記金融機関及び／又は前記金融機関システムに対して通知する投資資金支払手段と、
前記投資対象者から前記ファンドに対して元利金の引渡が為された旨の通知を前記投資対象者及び／又は前記投資対象者が有するコンピュータシステム及び／又は前記金融機関及び／又は前記金融機関システムのいずれかから受け付ける元利金受領手段と、
前記ファンドデータベースに格納している前記投資家に関する情報を抽出し、前記投資家が行っている投資金額に応じて前記投資対象者から受領した元利金の支払いを前記投資家に対して行う旨の通知を前記金融機関及び／又は前記金融機関システムに対して行う元利金支払手段とを
有することを特徴とするファンド管理システム。
【請求項４】
前記ファンド管理システムは、
前記ファンドが有する知的所有権に関する情報を前記知的所有権データベースから抽出し、前記抽出した知的所有権の実施権及び／又は信託の設定を行わせる通知を他のファンド及び／又は知的所有権を有することの出来るものに対して行うライセンス手段と、
前記元利金受領手段は、
更に前記他のファンド及び／又は前記知的所有権を有することの出来るものから前記設定した知的所有権の実施権及び／又は信託の実施料を受領する
ことを特徴とする請求項１から請求項３のいずれかに記載のファンド管理システム。
【請求項５】
前記ファンド管理システムは、
前記元利金受領手段に於いて受け付けた、前記当初権利者から前記ファンドに対して引き渡された元利金の金額が前記資産対応証券の発行条件に不足する場合、
前記不足金額を算出し、前記不足金額を予め定めたリスクヘッジ相手方に対して通知し、前記リスクヘッジ相手方に対して前記不足金額の支払いを行わせるリスクヘッジ手段と、前記元利金支払手段は、前記リスクヘッジ相手方から受領した不足金額と前記当初権利者から受領した元利金とに基づいて前記投資家に対して元利金の支払を行う旨の通知を前記金融機関及び／又は前記金融機関システムに対して行う
ことを特徴とする請求項１から請求項４のいずれかに記載のファンド管理システム。
【請求項６】
前記予め定めたリスクヘッジ相手方として、前記投資資金を受領した当初権利者、金融機関のいずれかを含む
ことを特徴とする請求項４に記載のファンド管理システム。
【請求項７】
前記不足金額の支払いは、前記ファンドと前記リスクヘッジ相手方との間の不足額の保証に基づいて行う
ことを特徴とする請求項５又は請求項６に記載のファンド管理システム。
【請求項８】
前記流通単位として、
商品、サービス、ビジネスモデルのいずれかを含む
ことを特徴とする請求項１から請求項３のいずれかに記載のファンド管理システム。
【請求項９】
前記知的所有権として、
特許権、実用新案権、意匠権、商標権、著作権、特許を受ける権利のいずれかを含むことを特徴とする請求項１から請求項４のいずれかに記載のファンド管理システム。
【請求項１０】
前記ファンドとして、
ＳＰＶ、特許管理会社、チャリタブルトラストのいずれかを含むことを特徴とする請求項１から請求項９のいずれかに記載のファンド管理システム。
【請求項１１】
前記資産対応証券として、
債券、コマーシャルペーパ、優先出資証券、株式、信託受益権のいずれかを含むことを特徴とする請求項１から請求項３のいずれかに記載のファンド管理システム。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
請求項１の発明は、流通単位に於いて用いる少なくとも一以上の知的所有権を当初権利者から譲渡及び／又は実施権の設定及び／又は信託の設定を受けたファンドを管理するファンド管理システムであって、前記ファンドが有する知的所有権に関する情報を格納する知的所有権データベースと、前記ファンドが発行する資産対応証券に関する情報及び／又は前記ファンドに対する投資家に関する情報を格納するファンドデータベースと、前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、前記ファンドが発行する資産対応証券の発行条件を受付け、前記資産対応証券の発行を行う資産対応証券発行手段と、前記発行した資産対応証券に対して投資家が行った投資の情報及び／又は前記投資家に関する情報を金融機関及び／又は前記金融機関システムから受付け前記ファンドデータベースに格納する投資受付手段と、前記ファンドに為された投資家による投資資金を前記当初権利者に対して支払う旨を前記金融機関及び／又は前記金融機関システムに対して通知する投資資金支払手段と、前記当初権利者から前記ファンドに対して元利金の引渡が為された旨の通知を前記当初権利者及び／又は前記当初権利者システム及び／又は前記金融機関及び／又は前記金融機関システムのいずれかから受付ける元利金受領手段と、前記ファンドデータベースに格納している前記投資家に関する情報を抽出し、前記投資家が行っている投資金額に応じて前記当初権利者から受領した元利金の支払いを前記投資家に対して行う旨の通知を前記金融機関及び／又は前記金融機関システムに対して行う元利金支払手段とを有するファンド管理システムである。


【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
請求項１の発明によって、ファンドを効率的、自動的に管理することが可能となる。これによってファンドを管理する証券会社等の負担を大幅に削減することが可能となる。更に流通単位（自動車等の商品、サービス、ビジネスモデル等の単位）毎にファンドを設け、当該ファンドに対してそれを実施する為の知的所有権を移転し、当該ファンドから資産対応証券を発行し、その投資資金を当初権利者が受領することによって、企業等の当初権利者が有している信用リスクから当該ファンドに対する資産リスクへの転換が可能となり、例え企業等の信用リスクが高くとも資産リスクが低ければ、従来よりも低利で資金調達が可能となる。更に投資家は個々の知的所有権の権利の存否、強弱の判断を行うのではなく、資産リスクに対する判断を行えばよいこととなる。従って従来のように知的所有権に関する詳細な知識を有していなくとも（例えば金融市場に於けるアナリスト、ストラテジスト等であっても）当該ファンドに対する投資判断の是非が容易となる。


【手続補正１６】
【補正対象書類名】明細書
【補正対象項目名】００２４
【補正方法】変更
【補正の内容】
【００２４】
請求項２の発明は、流通単位に於いて用いる少なくとも一以上の知的所有権を複数の当初権利者から譲渡及び／又は実施権の設定及び／又は信託の設定を受けたファンドを管理するファンド管理システムであって、前記ファンドが有する知的所有権に関する情報を格納する知的所有権データベースと、前記ファンドが発行する資産対応証券に関する情報及び／又は前記ファンドに対する投資家に関する情報を格納するファンドデータベースと、前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、前記ファンドが発行する資産対応証券の発行条件を受付け、前記資産対応証券の発行を行う資産対応証券発行手段と、前記発行した資産対応証券に対して投資家が行った投資の情報及び／又は前記投資家に関する情報を金融機関及び／又は前記金融機関システムから受付け前記ファンドデータベースに格納する投資受付手段と、前記ファンドに為された投資家による投資資金を、前記投資資金の受領を希望する当初権利者に対して予め定めた割合に基づいて支払う旨を前記金融機関及び／又は前記金融機関システムに対して通知する投資資金支払手段と、前記資産対応証券の元利金と前記投資資金を受領していない当初権利者の実施料との合計額の引渡が前記当初権利者が受領した投資資金の割合に応じて前記当初権利者から前記ファンドに対して為された旨の通知を前記当初権利者及び／又は前記当初権利者システム及び／又は前記金融機関及び／又は前記金融機関システムのいずれかから受付ける元利金受領手段と、前記投資資金を受領していない当初権利者に対して前記実施料の支払を行う旨の通知と、前記ファンドデータベースに格納している前記投資家に関する情報を抽出し、前記投資家が行っている投資金額に応じて前記当初権利者から受領した元利金の支払いを前記投資家に対して行う旨の通知を前記金融機関及び／又は前記金融機関システムに対して行う元利金支払手段とを有するファンド管理方法である。


【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
請求項２の発明によって、複数の当初権利者であってもファンドを効率的、自動的に管理することが可能となる。これによってファンドを管理する証券会社等の負担のを大幅に削減することが可能となる。又当該ファンドによって資金を調達することが可能となり、例えばジョイントベンチャー等のような場合であっても効率的に資金調達が可能となる。


【手続補正１９】
【補正対象書類名】明細書
【補正対象項目名】００２７
【補正方法】変更
【補正の内容】
【００２７】
請求項３の発明は、流通単位に於いて用いる少なくとも一以上の知的所有権を当初権利者から譲渡及び／又は実施権の設定及び／又は信託の設定を受けたファンドを管理するファンド管理システムであって、前記ファンドが有する知的所有権に関する情報を格納する知的所有権データベースと、前記ファンドが発行する資産対応証券に関する情報及び／又は前記ファンドに対する投資家に関する情報を格納するファンドデータベースと、前記知的所有権の譲渡及び／又は実施権の設定及び／又は信託の設定が前記ファンドに対して為されたことを前記当初権利者又は前記当初権利者システムから受け付け、前記知的所有権データベースに格納する知的所有権受付手段と、前記ファンドが発行する資産対応証券の発行条件を受け付け、前記資産対応証券の発行を行う資産対応証券発行手段と、前記発行した資産対応証券に対して投資家が行った投資の情報及び／又は前記投資家に関する情報を金融機関及び／又は前記金融機関システムから受け付け前記ファンドデータベースに格納する投資受付手段と、前記ファンドに為された投資家による投資資金を前記当初権利者以外の投資対象者に対して支払う旨を前記金融機関及び／又は前記金融機関システムに対して通知する投資資金支払手段と、前記投資対象者から前記ファンドに対して元利金の引渡が為された旨の通知を前記投資対象者及び／又は前記投資対象者が有するコンピュータシステム及び／又は前記金融機関及び／又は前記金融機関システムのいずれかから受け付ける元利金受領手段と、前記ファンドデータベースに格納している前記投資家に関する情報を抽出し、前記投資家が行っている投資金額に応じて前記投資対象者から受領した元利金の支払いを前記投資家に対して行う旨の通知を前記金融機関及び／又は前記金融機関システムに対して行う元利金支払手段とを有するファンド管理システムである。


【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
請求項３の発明によって、本発明によって、ファンドに対して知的所有権を提供していないもの（投資対象者）に対しても投資資金を提供することが可能となる。これによってより柔軟な投資をファンドが行うことが出来る。


【手続補正２２】
【補正対象書類名】明細書
【補正対象項目名】００３０
【補正方法】変更
【補正の内容】
【００３０】
請求項４の発明は、前記ファンド管理システムは、前記ファンドが有する知的所有権に関する情報を前記知的所有権データベースから抽出し、前記抽出した知的所有権の実施権及び／又は信託の設定を行わせる通知を他のファンド及び／又は知的所有権を有することの出来るものに対して行うライセンス手段と、前記元利金受領手段は、更に前記他のファンド及び／又は前記知的所有権を有することの出来るものから前記設定した知的所有権の実施権及び／又は信託の実施料を受領するファンド管理システムである。


【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
請求項４の発明によって、無体財産権である知的所有権の特長を生かして、ファンドが有する知的所有権を更に他のファンド、知的所有権を有することの出来るもの（即ち権利能力のある者）に対して実施権、信託を設定することによって、ファンド自らが当初権利者となり売上を創出することが可能となる。従ってこのようなファンドを複数設けることによって、流通単位毎の投資を投資家から募ることが可能となり、従来のような企業に対する投資のみならず、流通単位毎に対する投資も可能となる。


【手続補正２５】
【補正対象書類名】明細書
【補正対象項目名】００３３
【補正方法】変更
【補正の内容】
【００３３】
請求項５の発明は、前記ファンド管理システムは、前記元利金受領手段に於いて受け付けた、前記当初権利者から前記ファンドに対して引き渡された元利金の金額が前記資産対応証券の発行条件に不足する場合、前記不足金額を算出し、前記不足金額を予め定めたリスクヘッジ相手方に対して通知し、前記リスクヘッジ相手方に対して前記不足金額の支払いを行わせるリスクヘッジ手段と、前記元利金支払手段は、前記リスクヘッジ相手方から受領した不足金額と前記当初権利者から受領した元利金とに基づいて前記投資家に対して元利金の支払を行う旨の通知を前記金融機関及び／又は前記金融機関システムに対して行うファンド管理システムである。


【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】変更
【補正の内容】
【００３５】
請求項５の発明によって、本発明に於ける資産対応証券に於いても流通単位が商品市場に於いて売れ行きが悪い等の問題から期待した収益を投資家が得られない場合の投資リスクを最低限に軽減し、投資家による投資価値を上昇させることが可能となる。又これらの管理を自動的に行うことによって管理を行う証券会社等の負担を大幅に軽減することが可能となる。